(57)【要約】      （修正有）【課題】ロックピースの操作性の悪化を抑制しながら、ロックピースに対して床置型の空気調和機に移動物体が衝突することで前面パネルのロックが予期せず解除されるのを抑制する。【解決手段】本体は、床に置かれた状態で空気調和のための動作を行う。前面パネルは、本体の前面に取り付けられる。少なくとも１つのロックピース７３は、本体及び前面パネルの外から押すことで本体に対する前面パネルのロックが解除されるように構成されている。少なくとも１つの囲い部８２は、ロックピース７３の周囲に設けられ、ロックピース７３を押す方向を制限する。この囲い部８２の一部である凸部８２ａが、囲い部８２の他部である表面３５ａよりも外側に盛り上がっている。【選択図】図１１
2018035969.tif 000002
【特許請求の範囲】
【請求項１】
床に置かれた状態で空気調和のための動作を行う本体（２０）と、
前記本体の前面に取り付けられる前面パネル（３０）と、
前記本体及び前記前面パネルの外から押すことで前記本体に対する前記前面パネルのロックが解除されるように構成された少なくとも１つのロックピース（７２，７３）と、
前記ロックピースの周囲に設けられ、前記ロックピースを押す方向を制限する少なくとも１つの囲い部（８１，８２）と
を備え、
前記囲い部の一部が、前記囲い部の他部よりも外側に盛り上がっている、床置型の空気調和機。
【請求項２】
前記囲い部の前記一部は、前記囲い部のうちの前側に配置され、前記囲い部の前記他部より盛り上がった凸部（８１ａ，８２ａ）である、
請求項１に記載の床置型の空気調和機。
【請求項３】
前記前面パネルは、前面部（３１）と、前記前面部の両側端から後方に延びる第１側面部（３４）及び第２側面部（３５）を有し、
前記ロックピースは、前記第１側面部及び前記第２側面部にそれぞれ配置される第１ロックピース（７２）及び第２ロックピース（７３）を含み、
前記囲い部は、前記前面パネルの前記第１側面部及び前記第２側面部に、前記第１ロックピース及び前記第２ロックピースにそれぞれ対応して形成されている第１囲い部（８１）及び第２囲い部（８２）を含む、
請求項２に記載の床置型の空気調和機。
【請求項４】
前記前面パネルは、前記第１側面部及び前記第２側面部が前後方向に延びる面に対して傾斜し、前記第１側面部及び前記第２側面部が前方に行くに従って互いに近づくように全体が熱可塑性樹脂で構成されている、
請求項３に記載の床置型の空気調和機。
【請求項５】
前記囲い部は、前記囲い部を覆う平面よりもさらに押し込まれた位置に前記ロックピースが前記前面パネルのロックを解除する位置が設定されるように構成されている、
請求項１から４のいずれか一項に記載の床置型の空気調和機。
【発明の詳細な説明】
【技術分野】
【０００１】
本発明は、床置型の空気調和機に関する。
【背景技術】
【０００２】
従来から、空気清浄機などの床置型の空気調和機の中には、特許文献１（特開２０１２−２４７１４号公報）に記載されているように、前面パネルが取り外し可能に構成されており、前面パネルの下方にロック機構を備えている床置型の空気調和機がある。このロック機構は、床置型の空気調和機の本体に爪によって前面パネルが係止される構成になっている。特許文献１に記載の床置型の空気調和機においては、例えば爪が外れるなどして前面パネルが正しくロックされていない場合に、安全性を高めるため例えばオフ状態を維持するなどの安全機能が働くように構成されている。
【発明の概要】
【発明が解決しようとする課題】
【０００３】
ところで、特許文献１に記載されているような前面パネルの下方近傍に設けられているロック機構は、例えばロックピースを押し込むことによってロックが解除されるように構成されている場合がある。このようなロック機構にユーザなどの足が触れたり、床を移動する掃除ロボットが衝突したりすると、ロック機構のロックが解除されることがある。予期しないロックの解除は、予期しない安全機能の起動などを引き起こし、ユーザの意図に反して床置型の空気調和機を停止させてしまうことがある。
【０００４】
本発明の課題は、前面パネルのロックを解除するロックピースが設けられている床置型の空気調和機において、ロックピースの操作性の悪化を抑制しながら、ロックピースに対して床置型の空気調和機に移動物体が衝突することで前面パネルのロックが予期せず解除されるのを抑制することである。
【課題を解決するための手段】
【０００５】
本発明の第１観点に係る床置型の空気調和機は、床に置かれた状態で空気調和のための動作を行う本体と、本体の前面に取り付けられる前面パネルと、本体及び前面パネルの外から押すことで本体に対する前面パネルのロックが解除されるように構成された少なくとも１つのロックピースと、ロックピースの周囲に設けられ、ロックピースを押す方向を制限する少なくとも１つの囲い部とを備え、囲い部の一部が、囲い部の他部よりも外側に盛り上がっている。
【０００６】
第１観点に係る床置型の空気調和機によれば、囲い部の全部が盛り上がるのではなくて、囲い部の一部が他部よりも盛り上がることから、盛り上がっている囲い部の一部で移動物体がロックピースに当たるのを抑制しながら、囲い部の他部が盛り上がっていないことによってロックピースの操作が行い易くなる。
【０００７】
本発明の第２観点に係る床置型の空気調和機は、第１観点に係る床置型の空気調和機において、囲い部の一部は、囲い部のうちの前側に配置され、囲い部の他部より盛り上がった凸部である、ものである。
【０００８】
第２観点に係る床置型の空気調和機によれば、囲い部の他部よりも盛り上がった凸部が囲い部の前側に配置されていることから、例えば床置型の空気調和機を壁際に設置する場合に主に前方から勢い良く突っ込んでくる移動物体がロックピースに衝突するのを防ぎ易くなる。
【０００９】
本発明の第３観点に係る床置型の空気調和機は、第２観点に係る床置型の空気調和機において、前面パネルは、前面部と、前面部の両側端から後方に延びる第１側面部及び第２側面部を有し、ロックピースは、第１側面部及び第２側面部にそれぞれ配置される第１ロックピース及び第２ロックピースを含み、囲い部は、前面パネルの第１側面部及び第２側面部に、第１ロックピース及び第２ロックピースにそれぞれ対応して形成されている第１囲い部及び第２囲い部を含む、ものである。
【００１０】
第３観点に係る床置型の空気調和機によれば、前面パネルの第１側面部及び第２側面部にある第１囲い部及び第２囲い部の第１ロックピース及び第２ロックピースを両手で操作するときに、両手の指を後方から前面に向かって第１側面部及び第２側面部の表面で滑らせる際に囲い部の凸部が邪魔にならなくなるので、第１ロックピース及び第２ロックピースに指を運びやすくなる。
【００１１】
本発明の第４観点に係る床置型の空気調和機は、第３観点に係る床置型の空気調和機において、前面パネルは、第１側面部及び第２側面部が前後方向に延びる面に対して傾斜し、第１側面部及び第２側面部が前方に行くに従って互いに近づくように全体が熱可塑性樹脂で構成されている、ものである。
【００１２】
第４観点に係る床置型の空気調和機によれば、第１側面部及び第２側面部が前後方向に延びる面に対して傾斜し、第１側面部及び第２側面部が前方に行くに従って互いに近づくように構成されているということは即ち前すぼみに前面パネルが形成されているということであり、例えば金型を使って前面パネルを成形する場合に金型に前面パネルの抜き勾配を設けて取り出し易くすることができる。
【００１３】
本発明の第５観点に係る床置型の空気調和機は、第１観点から第４観点のいずれかに係る床置型の空気調和機において、囲い部は、囲い部を覆う平面よりもさらに押し込まれた位置にロックピースが前面パネルのロックを解除する位置が設定されるように構成されている、ものである。
【００１４】
第５観点に係る床置型の空気調和機によれば、囲い部を覆う平面よりもさらに押し込まれた位置にロックピースが前面パネルのロックを解除する位置が設定されることから、例えば掃除ロボットの側面又は掃除機のヘッドの側面のように囲い部の大きさから見ればほぼ平面とみなせる移動物体が衝突しても、囲い部によって前面パネルのロックが解除されるのを防ぐことができる。
【発明の効果】
【００１５】
本発明の第１観点に係る床置型の空気調和機では、ロックピースの操作性の悪化を抑制しながら、ロックピースに対して床置型の空気調和機に移動物体が衝突することで前面パネルのロックが予期せず解除されるのを抑制することができる。
【００１６】
本発明の第２観点に係る床置型の空気調和機では、壁際に床置型の空気調和機が設置された状況などにおいて、前面パネルが予期せずロック解除されるケースを減らすことができる。
【００１７】
本発明の第３観点に係る床置型の空気調和機では、ロックピースの良好な操作性が確保できる。
【００１８】
本発明の第４観点に係る床置型の空気調和機では、安価な前面パネルを提供し易くなる。
【００１９】
本発明の第５観点に係る床置型の空気調和機では、ロックピースに対して床置型の空気調和機に平坦な側面を持つ移動物体が衝突することで前面パネルのロックが予期せず解除されるのを十分に抑制することができる。
【図面の簡単な説明】
【００２０】
【図１】実施形態に係る床置型の空気清浄機の一例を示す斜視図。
【図２】前面パネルを取り付けられている床置型の空気清浄機の斜視図。
【図３】前面パネルの正面図。
【図４】前面パネルの右側面図。
【図５】前面パネルの平面図。
【図６】前面パネルの背面図。
【図７】図６のＩ−Ｉ線に沿って切断した前面パネルの断面図。
【図８】図７の領域Ａｒ２の部分を拡大した部分拡大断面図。
【図９】図６のＩＩ−ＩＩ線に沿って切断した前面パネルの断面図。
【図１０】図３の領域Ａｒ１の部分を拡大した部分拡大図。
【図１１】図１０のＩＩＩ−ＩＩＩ線に沿って切断した前面パネルの断面図。
【図１２】左側面部のロックピースの部分を拡大した拡大斜視図。
【発明を実施するための形態】
【００２１】
（１）全体構成
以下、発明の一実施形態に係る床置型の空気調和機として、図１に示されている床置型の空気清浄機１０を例に挙げて説明する。この床置型の空気清浄機１０は、例えば室内の床ＦＬに置かれる。空気清浄機１０は、本体２０と、本体２０の前側に取り付けられる前面パネル３０とを備えている。本体２０は、空気調和として塵埃などを除去する空気清浄を行い、さらには加湿及び／又は除湿を行う場合もある。空気清浄を行うために、空気清浄機１０の本体２０の中には塵埃を除去するためのエアフィルタ（図示せず）が設置されている。本体２０は、実質的に直方体状であり、床ＦＬに置かれたときに安定性の良い形状になっている。本体２０には、空調対象空間である室内から空気を吸い込む吸込口２１，２２と、室内に対して空気を吹き出す吹出口２３が設けられている。また、吹出口２３には、風向を調整するための可動フラップ２４が設けられている。吸込口２１は、本体２０の右側面及び左側面に設けられており、吸込口２２は、本体２０の前側下部に設けられている。吸込口２１，２２から本体２０の内部に吸い込まれた空気がエアフィルタを通過して吹出口２３から吹き出される。吸込口２１，２２から空気を吸い込んで吹出口２３から調和空気を吹き出させるために、本体２０の内部にファン（図示せず）が設置されている。
【００２２】
（２）詳細構成
（２−１）前面パネル３０
図２には、前面パネル３０が本体２０に取り付けられるときの状態が示されている。また、図３乃至図１１に前面パネル３０が示され、前から見た状態が図３に、左から見た状態が図４に示され、上方から見た状態が図５に示されている。また、後述するロックピースを外した状態の前面パネル３０を後ろから見た状態が図６に示されている。また、図６のＩ−Ｉ線に沿った断面が図７に示され、図７の丸で囲まれた領域Ａｒ２の部分の断面が拡大されて図８に示され、図６のＩＩ−ＩＩに沿った断面が図９に示されている。さらに、図３の丸で囲まれた領域Ａｒ１が図１０に示され、図１０のＩＩＩ−ＩＩＩ線に沿った断面が図１１に示されている。前面パネル３０は、前面部３１と上側面部３２と下側面部３３と右側面部３４と左側面部３５とが一体的に成形されてなる。ここでは、右側面部３４と左側面部３５が前面部３１の両側端から後方に延びる第１側面部と第２側面部である。前面パネル３０は樹脂製である。前面パネル３０に用いられる樹脂としては、例えば熱可塑性樹脂があり、熱可塑性樹脂としては例えば耐衝撃性ポリエチレン（ＨＩＰＳ：High Impact Polystyrene）又はアクリロニトリル・ブタジエン・スチレン樹脂（ＡＢＳ樹脂）がある。前面パネル３０は、例えば射出成形により成形され、前面部３１と上側面部３２と下側面部３３と右側面部３４と左側面部３５とが同時に成形される。上側面部３２と下側面部３３と右側面部３４と左側面部３５とは、射出成形時に金型から外し易いよう、先方に行くに従って窄まるように形成されている。言い換えると、上側面部３２と下側面部３３と右側面部３４と左側面部３５とは、前面部３１に実質的に平行な平面に垂直な面に対して傾斜するように形成されている。上側面部３２と下側面部３３が前方に行くに従って互いに近づくように構成され、右側面部３４と左側面部３５が前方に行くに従って互いに近づくように構成されている。
【００２３】
前面部３１と上側面部３２と下側面部３３と右側面部３４と左側面部３５は、板状である。前面パネル３０は、本体２０への固定のために、本体２０の上面に引っ掛ける突起７１が上側面部３２の下面３２ａから下方に突出している。また、本体２０に前面パネル３０を固定するために、右側面部３４と左側面部３５の下方にロック機構を構成するロックピース７２，７３がそれぞれ設けられている。これらロックピース７２，７３は、本体２０の左右に設けられた係合部２５にそれぞれ引っ掛けることができるように構成されている。上側面部３２の突起７１を本体２０の上面に引っ掛け、前面パネル３０の下方を本体２０に向けて押し込むことにより、前面パネル３０の下方がロックピース７２，７３を含むロック機構でロックされて前面パネル３０が固定される。
【００２４】
前面パネル３０が本体２０に正しくロックされている状態では、本体２０の下方中央に設けられているリミットスイッチ２６が前面パネル３０で押されて、床置型の空気清浄機１０が駆動可能な状態になっている。前面パネル３０には、リミットスイッチ２６を押すための押圧部３７が設けられている。しかし、図２に示されているように、前面パネル３０が本体２０から外れていると、リミットスイッチ２６が押圧部３７によって押されなくなるため、床置型の空気清浄機１０の電源は遮断されたままになる。前面パネル３０が本体２０に嵌め込まれていても、ロックピース７２，７３を含む２つのロック機構の片方でも正しくロックされなければ、リミットスイッチ２６によって電源の遮断が行われる。これらロックピース７２，７３は、右側面部３４の下部に設けられたハウジング４７及び左側面部３５の下部に設けられたハウジング４８に収納されている。
【００２５】
（２−２）ロックピース７２，７３
ロックピース７２，７３は、ハウジング４７，４８に移動自在に収納されている。ハウジング４７，４８には、床置型の空気清浄機１０の外側に向けて開口した開口部４１，４２と、内側に向けて開口した開口部４３，４４とが形成されている。図１１に示されているロックピース７３の頭部７５がハウジング４８の開口部４２に摺動可能に嵌め込まれ、ロックピース７３の尾部７６がハウジング４８の開口部４４に嵌め込まれている。ロックピース７２についてもロックピース７３と同様に、ロックピース７２の頭部７５（図４参照）がハウジング４７の開口部４１に摺動可能に嵌め込まれる。ロックピース７２の尾部（図示せず）もハウジング４７の開口部４４に嵌め込まれる。
【００２６】
ロックピース７３は、頭部７５から内部に向かって延びる本体部７７を有している。この本体部７７は、内部に向かって真っ直ぐ延びる板状の部分である。図１１に示されているように、本体部７７と尾部７６との間には、断面Ｕ字型の弾性部７８が形成されている。頭部７５が指で押し込まれると、弾性部７８が弾性変形して、頭部７５と尾部７６との距離が近づく。そして、頭部７５を押し込んだ指を頭部７５から放すと、弾性部７８の形状が元に戻り、頭部７５は押し込まれる前の位置に復帰する。
【００２７】
ロックピース７３の本体部７７から垂直にフック部７９が突出している。フック部７９の先端には爪部７９ａが形成されている。ロック機構がロックされている状態では、ロックピース７３の爪部７９ａが係合部２５に引っ掛かっている。ロックピース７３の頭部７５が押し込まれると、ロックピース７３と同様にフック部７９も内部に向かって移動し、爪部７９ａが係合部２５から外れる。
【００２８】
右側面部３４の表面３４ａ及び左側面部３５の表面３５ａには、それぞれ例えば前後方向に沿って切断した断面形状が略円弧状になった凹部４５，４６が形成されている。これら凹部４５，４６の中央に開口部４１，４２がそれぞれ形成されている。開口部４１，４２は、側面から見て例えば実質的に長方形の形状を呈する。
【００２９】
従って、これら凹部４５，４６の周囲の表面３４ａ，３５ａは、開口部４１，４２よりも高い囲い部８１，８２になっている。これら囲い部８１，８２のうちの前方側に、囲い部８１，８２の一部が他部よりも盛り上がった凸部８１ａ，８２ａが形成されている。既に説明したように、前面部３１の両側端から後方に延びる右側面部３４及び左側面部３５は、前方に行くに従って互いに近づくように構成されている。これら凸部８１ａ，８２ａは、射出成形時に前面パネル３０を金型から抜き出せる程度の盛り上がりである。例えば、凸部８１ａ，８２ａは、表面３４ａ，３５ａから例えば０．５ｍｍ乃至２ｍｍ程度の高さｈ１（図１１参照）だけ盛り上がっている。図１２には、ロックピース７３の周辺が拡大して示されている。
【００３０】
図１１に示されている囲い部８２を覆う平面ＰＬ１よりもさらに押し込まれた位置に、ロックピース７３が前面パネル３０のロックを解除する位置が設定されている。つまり、ロックピース７３の頭部７５が平面ＰＬ１よりも外側に飛び出している状態では、ロックが解除されることはない。同様に、囲い部８１を覆う平面（図示省略）よりもさらに押し込まれた位置、好ましくは表面３４ａ，３５ａよりもさらに押し込まれた位置に、ロックピース７２が前面パネル３０のロックを解除する位置が設定されている。つまり、ロックピース７２の頭部７５が平面ＰＬ１よりも外側に飛び出している状態では、ロックが解除されることはない。
【００３１】
（３）特徴
（３−１）
以上説明したように床置型の空気調和機である床置型の空気清浄機１０は、本体２０と前面パネル３０と少なくとも１つのロックピース７２，７３と少なくとも１つの囲い部８１，８２を備えている。本体２０は、床ＦＬに置かれた状態で空気調和のための動作を行う。前面パネル３０は、本体２０の前面に取り付けられる。ロックピース７２，７３は本体２０及び前面パネル３０の外から押すことで本体２０に対する前面パネル３０のロックが解除されるように構成されている。囲い部８１，８２は、ロックピース７２，７３の周囲に設けられている。そして、これら囲い部８１，８２は、それぞれロックピース７２，７３を押す方向を制限している。凸部８１ａ，８２ａのある方向からはロックピース７２，７３を押し込むことができない。言い換えると、囲い部８１，８２よりも広い平らな物体でロックピース７２，７３を内部に向かって真っ直ぐ押し込むことができないようになっている。このような機能を確実なものとするために、囲い部８１，８２の一部である凸部８１ａ，８２ａが、囲い部８１，８２の他部である凹部４５，４６の周囲の表面３４ａ，３５ａよりも盛り上がっている。このように、囲い部８１，８２の全部が盛り上がるのではなくて、囲い部８１，８２の一部である凸部８１ａ，８２ａが表面３４ａ，３５ａよりも盛り上がっていることから、例えば掃除ロボット又は掃除機のヘッドなどの移動物体がロックピース７２，７３に当たるのを凸部８１ａ，８２ａで抑制しながら、例えば盛り上がっていない表面３４ａ，３５ａの上で指を滑らせてロックピース７２，７３まで指を持って行ってそのままロックピース７２，７３を押す操作を簡単に行える。その結果、ロックピース７２，７３の操作性の悪化を抑制しながら、ロックピース７２，７３に対して床置型の空気清浄機１０に移動物体が衝突することで前面パネル３０のロックが予期せず解除されるのを抑制できている。
【００３２】
（３−２）
囲い部８１，８２の凸部８１ａ，８２ａは、囲い部８１，８２のうちの前側に配置されている。このように、凸部８１ａ，８２ａが囲い部８１，８２の前側に配置されていることから、例えば床置型の空気清浄機１０を壁際に設置する場合に主に前方から勢い良く突っ込んでくる掃除ロボット又は掃除機のヘッドなどの移動物体がロックピース７２，７３に衝突するのを防ぎ、壁際に床置型の空気清浄機１０が設置された状況などにおいて、前面パネル３０が予期せずロック解除されるケースを減らすことができる。
【００３３】
（３−３）
例えば、ロックピース７２は、第１側面部の例である右側面部３４に配置される第１ロックピースの例であり、ロックピース７３は、第２側面部の例である左側面部３５に配置される第２ロックピースの例とみなすことができる。その場合、囲い部８１がロックピース７２に対応して形成された第１囲い部であり、囲い部８２がロックピース７３に対応して形成された第２囲い部である。これら２つのロックピース７２，７３を両手で操作するときに、両手の指を後方から前面に向かって右側面部３４及び左側面部３５の表面３４ａ，３５ａで滑らせる際に囲い部８１，８２の凸部８１ａ，８２ａが邪魔にならなくなるので、ロックピース７２，７３に指を運びやすくなり、ロックピース７２，７３の良好な操作性を確保することができている。
【００３４】
（３−４）
上述の右側面部３４及び左側面部３５が前方に行くに従って互いに近づくように構成されていることは既に説明したが、このことは即ち前すぼみに前面パネル３０が形成されているということである。このように構成することで、例えば金型を使って前面パネル３０を成形する場合に金型に前面パネル３０の抜き勾配を設けて取り出し易くすることができるので、金型や製造工程を簡素化して、容易に安価な前面パネルを提供することができる。
【００３５】
（３−５）
図１１に示されているように囲い部８２は、囲い部８２を覆う平面ＰＬ１よりもさらに押し込まれた位置にロックピース７３が前面パネル３０のロックを解除する位置が設定されている。言い換えると、ロックピース７３の頭部７５が平面ＰＬ１よりも本体２０の方に押し込まれないとロックが解除されることはない。このことから、例えば掃除ロボットの側面又は掃除機のヘッドの側面のように囲い部８２の大きさから見ればほぼ平面とみなせる移動物体が左側面部３５に衝突しても、前面パネル３０のロックが解除されるのを囲い部８２によって防ぐことができる。同様に、囲い部８１を覆う平面１よりもさらに押し込まれた位置に、ロックピース７２が前面パネル３０のロックを解除する位置が設定されていることから、囲い部８１の大きさから見ればほぼ平面とみなせる移動物体が右側面部３４に衝突しても、前面パネル３０のロックが解除されるのを囲い部８２によって防ぐことができる。また、凹部４５，４６よりも大きな平坦な板状の部材をロックピース７２，７３に当てれば、ロックピース７２，７３が正しく動作するか否かの検査のも簡単に行える。
【００３６】
（４）変形例
（４−１）変形例１Ａ
上記実施形態では、床置型の空気調和機として床置型の空気清浄機１０を例に挙げて説明したが、本発明が適用できる床置型の空気調和機は、床置型の空気清浄機１０に限られるものではない。本発明が適用できる床置型の空気調和機としては、例えば、床置型の加湿機、床置型の除湿機、床置型の暖房装置及び床置き型冷房装置がある。
【００３７】
（４−２）変形例１Ｂ
上記実施形態では、ロックピース７２，７３が２つある場合について説明したが、ロックピースが１つだけ設けられていて一つのロックピースで前面パネル３０を固定するようにしてもよい。その場合も、その１つのロックピースによるロックが外れると、前面パネル３０の押圧部３７によってリミットスイッチ２６を押せなくなり、床置型の空気清浄機１０、つまり床置型の空気調和機の電源が遮断される。また、ロックピースが３つ以上設けられていてもよい。
【００３８】
（４−３）変形例１Ｃ
上記実施形態では、ロックピース７２，７３の頭部７５が側面視において長方形の形状を呈する場合について説明したが、ロックピース７２，７３の頭部７５の形状は長方形には限られず、例えば円形や楕円形であってもよい。
【符号の説明】
【００３９】
１０  床置型の空気清浄機（床置型の空気調和機の例）
２０  本体
３０  前面パネル
３１  前面部
３２  上側面部
３３  下側面部
３４  右側面部（第１側面部の例）
３５  左側面部（第２側面部の例）
４５，４６  凹部
７２，７３  ロックピース
８１，８２  囲い部
８１ａ，８２ａ  凸部
【先行技術文献】
【特許文献】
【００４０】
【特許文献１】特開２０１２−２４７１４号公報
【図１】
2018035969.tif 000003
【図２】
2018035969.tif 000004
【図３】
2018035969.tif 000005
【図４】
2018035969.tif 000006
【図５】
2018035969.tif 000007
【図６】
2018035969.tif 000008
【図７】
2018035969.tif 000009
【図８】
2018035969.tif 000010
【図９】
2018035969.tif 000011
【図１０】
2018035969.tif 000012
【図１１】
2018035969.tif 000013
【図１２】
2018035969.tif 000014